(57)【要約】【課題】高調波電流低減と力率改善を図った直流電源装置において、リアクトルの騒音とスイッチングノイズおよびスイッチング損失を防ぐこと。【解決手段】交流電源１と、交流電源に接続されたリアクトルと、ブリッジ整流回路９と、平滑コンデンサ１０と、ブリッジ整流回路の交流入力端子間に接続された双方向性スイッチと、直流出力間に直列接続された第１から第４の補助スイッチ４から７と、コンデンサ８とを備え、双方向性スイッチ３がオンした後、オフするまでの間に補助スイッチを２個オンし、次に双方向性スイッチがオフするまでの間に残りの２個の補助スイッチをオンすることによってコンデンサ８の充放電を制御するよう構成し、リアクトル２の電圧急変を防止して騒音の発生を抑制するとともに、双方向性スイッチ３のゼロ電流スイッチング、ゼロ電圧スイッチングを実現して、ノイズと損失の低減が可能となる。【選択図】図１
2008141901.tif 000002
【特許請求の範囲】
【請求項１】
交流電圧を整流するブリッジ整流回路と、前記ブリッジ整流回路の出力電圧を平滑化する平滑コンデンサと、前記ブリッジ整流回路の交流入力端子に接続されたリアクトルと、前記ブリッジ整流回路の交流入力端子間に接続された双方向性スイッチと、前記ブリッジ整流回路の直流出力端子間に直列に接続された第１から第４までの補助スイッチと、一端が前記第１の補助スイッチと前記第２の補助スイッチとの接続点に接続され他端が前記第３の補助スイッチと前記第４の補助スイッチとの接続点に接続されたコンデンサと、前記双方向性スイッチと前記第１から第４までの補助スイッチとを制御するスイッチ駆動制御手段とを備えた直流電源装置。
【請求項２】
前記交流電圧を検出する入力電圧検出手段をさらに備え、前記スイッチ駆動制御手段は、検出された電圧極性もしくは電圧ゼロクロスに基づいて第１から第４までの補助スイッチを制御する請求項１に記載の直流電源装置。
【請求項３】
前記リアクトルに流れる電流を検出する入力電流検出手段をさらに備え、前記スイッチ駆動制御手段は、検出された電流極性もしくは電流ゼロクロスに基づいて、第１から第４までの補助スイッチを制御する請求項１に記載の直流電源装置。
【請求項４】
前記平滑コンデンサの電圧を検出する直流電圧検出手段をさらに備え、前記スイッチ駆動制御手段は、前記直流電圧検出手段で検出した直流電圧が所定値と等しくなるように、前記双方向性スイッチの導通時間とオンオフの周波数との少なくともいずれかを制御する請求項１〜３のいずれか１項に記載の直流電源装置。
【請求項５】
前記平滑コンデンサの電圧を検出する直流電圧検出手段をさらに備え、前記スイッチ駆動制御手段は、前記直流電圧検出手段で検出した直流電圧が所定値に等しくなるように、前記双方向性スイッチをオンオフする駆動信号の密度を制御する請求項１〜３のいずれか１項に記載の直流電源装置。
【請求項６】
直流出力電流あるいは直流出力電力によって負荷量を判定する負荷量判定手段をさらに備え、前記スイッチ駆動制御手段は、検出した前記負荷量に応じて前記双方向性スイッチの導通時間とオンオフの周波数との少なくともいずれかを制御する請求項１〜３のいずれか１項に記載の直流電源装置。
【請求項７】
直流出力電流あるいは直流出力電力によって負荷量を判定する負荷量判定手段をさらに備え、前記スイッチ駆動制御手段は、検出した前記負荷量に応じて前記双方向性スイッチをオンオフする駆動信号の密度を制御する請求項１〜３のいずれか１項に記載の直流電源装置。
【請求項８】
少なくとも第１と第３の補助スイッチのいずれか一方と、第２と第４の補助スイッチのいずれか一方を、前記コンデンサ充電時には低いインピーダンスでオンし、前記コンデンサ放電動作時には高いインピーダンスを持ってオンするよう構成した請求項１〜７のいずれか１項に記載の直流電源装置。
【発明の詳細な説明】
【技術分野】
【０００１】
本発明は、交流を直流に変換するとともに交流電源に流れる高調波電流を低減し、力率の改善を図る直流電源装置に関するものである。
【背景技術】
【０００２】
従来、数ｋＷ出力程度までの直流電源装置においては、１個ないしは２個のスイッチを用いて、そのスイッチを交流電源の半周期に１度ないしは数度、オンオフ動作させることで交流電源の高調波電流を低減するとともに力率を改善し、交流を目標の直流電圧に変換する方式が取られてきた。
【０００３】
例えば、従来の直流電源装置としては、ブリッジ整流回路と、リアクトルと、スイッチと、逆流防止ダイオードの組み合わせから構成されたものがある（例えば、特許文献１参照）。
【０００４】
以下、図面を参照しながら従来の直流電源装置について図１２と図１３を用いて説明する。図１２は、特許文献１の代表図として記載されている従来の直流電源装置の回路ブロック図を示している。交流電源１は単相の商用交流電源であり、ブリッジ整流回路９は４個のダイオードで構成されている。
【０００５】
リアクトル２は、ブリッジ整流回路９の正極出力とスイッチ２３および逆流防止用ダイオード２４のアノード端子に接続され、平滑コンデンサ１０は、逆流防止用ダイオード２４のカソード端子に接続されて直流電圧を平滑し、負荷１１に脈動の小さな直流電圧を供給する。そして、スイッチ制御回路２５は、スイッチ２３のオンタイミング発生回路２６と、オフタイミング発生回路２７と、スイッチ駆動回路２８とから構成されている。
【０００６】
次に、このように構成された直流電源装置についてその動作を説明する。オンタイミング発生回路２６は交流電源１の電源電圧と同期し、かつ、交流電源１のゼロ電圧点から所定の駆動遅延時間を持たせてスイッチ２３を駆動するための信号を、スイッチ駆動回路２８を介して送出する。そして、スイッチ２３が閉じると交流電源１からリアクトル２と、ブリッジ整流回路９を介して短絡電流が流れ始め、次第に増加する。
【０００７】
次いで、電源電圧に同期して、オフタイミング発生回路２７からスイッチ２３を停止するための信号がスイッチ駆動回路２８を介して送出されると、スイッチ２３は開放され、それまでリアクトル２を流れていた短絡電流は、逆流防止用ダイオード２４を介して平滑コンデンサ１０の充電電流となり、次第に減少する。
【０００８】
その後、交流電源１の電源電圧がピーク電圧付近になると、交流電源１からブリッジ整流回路９、リアクトル２、逆流防止ダイオード２４を通して平滑コンデンサ１０に充電電流が流れることとなる。このときの交流電源１の電源電圧Ｖｉと、交流電源１の低負荷時入力電流Ｉ１および高負荷時入力電流Ｉ２を図１３に示す。
【０００９】
図１３に示されるように、低負荷時は高負荷時に比べてオンタイミング発生回路２６からのオンタイミングの信号が遅れるように制御されている。そして、このように制御することによって、交流電源１からの入力電流は通流角度が広がり、高調波電流低減と力率改善が実現される。
【００１０】
ただし、この回路構成においては、逆流防止ダイオードの損失が大きいため効率が悪い
という欠点があるため、スイッチを双方向性スイッチとしてブリッジ整流回路の交流側でリアクトルを短絡し、逆流防止ダイオードを省いて高効率とした回路方式の直流電源装置が一般的になりつつある（例えば、特許文献２の図１参照）。
【００１１】
この回路構成については詳細な説明を省くが、交流電源周波数の半周期に１回ないし数回、双方向性スイッチをオンして、リアクトルに蓄えたエネルギーを双方向性スイッチのオフ時に平滑コンデンサ側に放出することで、前述の直流側にスイッチを用いた従来の直流電源装置と同様の効果を得るものである。基本的な回路構成を図１４に示す。
【特許文献１】特開平７−７９４６号公報
【特許文献２】特開平１０−３３７０３１号公報
【発明の開示】
【発明が解決しようとする課題】
【００１２】
しかしながら、前記従来の直流電源装置では、低周波スイッチングでリアクトルに急峻な電圧変動が発生するため、これが原因でリアクトルから騒音が発生するという課題があった。
【００１３】
また、この課題を解決するためにリアクトルのギャップに騒音低減のための樹脂材を挟み込んだ上、リアクトルを騒音遮蔽するといったようなことを行う必要があり、コストアップにつながっていた。
【００１４】
さらに、商用周波数に対して１回ないし数回のスイッチングで電力を伝達するためにリアクトルのインダクタンスを大きくする必要があり、体積と質量が大きく、装置全体の体積と質量アップにつながっていた。
【００１５】
しかし、これらの問題を解決するために、数ｋＨｚ以上の高周波スイッチングを採用すれば、損失やノイズが増大するために、放熱器の大型化やスナバ回路の追加などの対策が必要となり、かえって体積質量だけでなく、コストもアップするおそれがあった。
【課題を解決するための手段】
【００１６】
前記従来の課題を解決するために、本発明の直流電源装置は、交流電圧を整流するブリッジ整流回路と、前記ブリッジ整流回路の出力電圧を平滑化する平滑コンデンサと、前記ブリッジ整流回路の交流入力端子に接続されたリアクトルと、前記ブリッジ整流回路の交流入力端子間に接続された双方向性スイッチと、前記ブリッジ整流回路の直流出力端子間に直列に接続された第１から第４までの補助スイッチと、一端が前記第１の補助スイッチと前記第２の補助スイッチとの接続点に接続され他端が前記第３の補助スイッチと前記第４の補助スイッチとの接続点に接続されたコンデンサと、前記双方向性スイッチと前記第１から第４までの補助スイッチとを制御するスイッチ駆動制御手段とを備えたものである。
【００１７】
上記構成において本発明の直流電源装置は、双方向性スイッチがオフする前に２つの補助スイッチをオンとし、コンデンサの充電を利用してリアクトル電流の連続性を保ち、リアクトルの電圧変動を緩やかにして騒音を低減するものである。そして、次の双方向性スイッチのオフとなるまでに、残りの２つの補助スイッチによってコンデンサの電荷を直流出力側に放出して、エネルギー損失の少ないスイッチング動作を実現するものである。
【発明の効果】
【００１８】
本発明の直流電源装置は、双方向性スイッチのオフに伴うリアクトルの急峻な電圧変動を緩やかにすることにより騒音を低減し、騒音防止のための樹脂材や騒音遮蔽のコストを削減できる。また、従来の低周波スイッチングに適用可能なだけでなく、数ｋＨｚ以上の
高周波スイッチングにも適用可能であるため、リアクトルの小型軽量化も可能である。
【００１９】
さらに、双方向性スイッチにはスイッチング損失がほとんど発生しないため、双方向性スイッチとしてスイッチングスピードの遅い素子などのコストの安い素子が使える。そして、一般的に、スイッチング速度と飽和電圧はトレードオフの関係にあるため、双方向性スイッチの低損失化が実現できる。
【発明を実施するための最良の形態】
【００２０】
第１の発明は、交流電圧を整流するブリッジ整流回路と、前記ブリッジ整流回路の出力電圧を平滑化する平滑コンデンサと、前記ブリッジ整流回路の交流入力端子に接続されたリアクトルと、前記ブリッジ整流回路の交流入力端子間に接続された双方向性スイッチと、前記ブリッジ整流回路の直流出力端子間に直列に接続された第１から第４までの補助スイッチと、一端が前記第１の補助スイッチと前記第２の補助スイッチとの接続点に接続され他端が前記第３の補助スイッチと前記第４の補助スイッチとの接続点に接続されたコンデンサと、前記双方向性スイッチと前記第１から第４までの補助スイッチとを制御するスイッチ駆動制御手段とを備えたものである。
【００２１】
そして、双方向性スイッチをオンすることでリアクトルに流れる電流を増大させ、その際に蓄えたエネルギーをオフすることによってブリッジ整流回路を介して直流出力側に放出するとともに力率を改善するという基本的な動作に関しては従来の直流電源装置と同様である。ただし、スイッチ駆動制御手段は双方向性スイッチがオフする寸前に２つの補助スイッチをオンすることで充電電圧がゼロのコンデンサが双方向性スイッチに並列接続されるように制御することによってリアクトル電流の連続性を保ち、リアクトルの騒音を防止するとともに双方向性スイッチのオフ時のスイッチングをゼロ電圧スイッチングとすることが出来るのでスナバ回路などのコスト削減も可能となる。
【００２２】
また、コンデンサに蓄えられた電荷は次の双方向性スイッチがオフするまでの間に先ほどオンしていた２つの補助スイッチをオフして、異なる２つの補助スイッチをオンすることで直流側にエネルギーとして放出することができるため、商用周期の半周期に一回のスイッチングに対応するだけでなく数回、あるいは数ｋHz以上の高周波スイッチングにも適用可能であるのでリアクトルの小型化や更なる低騒音化も可能である。
【００２３】
第２の発明は、第１の発明において、前記交流電圧を検出する入力電圧検出手段をさらに備え、前記スイッチ駆動制御手段は、検出された電圧極性もしくは電圧ゼロクロスに基づいて第１から第４までの補助スイッチを制御するものである。
【００２４】
これにより、ゼロクロス付近での電流歪の抑制に効果を発揮するとともに、交流電源の電圧値に応じて目標となる直流電圧を変更することで昇圧比を変更して効率アップに貢献できる。
【００２５】
第３の発明は、第１の発明において、前記リアクトルに流れる電流を検出する入力電流検出手段をさらに備え、前記スイッチ駆動制御手段は検出された電流極性もしくは電流ゼロクロスに基づいて、第１から第４までの補助スイッチを制御するものである。
【００２６】
これにより、ゼロクロス付近での電流歪の抑制に効果を発揮するとともに、入力電流量によって電圧値に応じて目標となる直流電圧を変更することで昇圧比を変更して効率アップに貢献できる。
【００２７】
第４の発明は、第１から第３のいずれかの発明において、前記平滑コンデンサの電圧を検出する直流電圧検出手段をさらに備え、前記スイッチ駆動制御手段は、前記直流電圧検
出手段で検出した直流電圧が所定値と等しくなるように、前記双方向性スイッチの導通時間とオンオフの周波数との少なくともいずれかを制御するものである。これにより、負荷に安定した直流電圧を供給することが可能となる。
【００２８】
第５の発明は、第１から第３のいずれかの発明において、前記平滑コンデンサの電圧を検出する直流電圧検出手段をさらに備え、前記スイッチ駆動制御手段は、前記直流電圧検出手段で検出した直流電圧が所定値に等しくなるように、前記双方向性スイッチをオンオフする駆動信号の密度を制御するものである。これにより、負荷に安定した直流電圧を供給することが可能となる。
【００２９】
第６の発明は、第１から第３のいずれかの発明において、直流出力電流あるいは直流出力電力によって負荷量を判定する負荷量判定手段をさらに備え、前記スイッチ駆動制御手段は、検出した前記負荷量に応じて前記双方向性スイッチの導通時間とオンオフの周波数との少なくともいずれかを制御するものである。これにより、負荷に安定した直流電圧を供給することが可能となる。
【００３０】
第７の発明は、第１から第３のいずれかの発明において、直流出力電流あるいは直流出力電力によって負荷量を判定する負荷量判定手段をさらに備え、前記スイッチ駆動制御手段は、検出した前記負荷量に応じて前記双方向性スイッチをオンオフする駆動信号の密度を制御するものである。これにより、負荷に安定した直流電圧を供給することが可能となる。
【００３１】
第８の発明は、第１から第７のいずれかの発明において、少なくとも第１と第３の補助スイッチのいずれか一方と、第２と第４の補助スイッチのいずれか一方を、前記コンデンサ充電時には低いインピーダンスでオンし、前記コンデンサ放電動作時には高いインピーダンスを持ってオンするよう構成したものである。
【００３２】
これにより、上記の各発明の効果に加えてコンデンサ放電時のｄｉ／ｄｔを抑制することによるノイズ低減が可能となる。また、インピーダンスを高くするためにリアクトルを用いることによってさらにノイズを低減するとともに損失も低減することが可能となる。
【００３３】
以下、本発明の実施の形態について、図面を参照しながら説明する。
【００３４】
（実施の形態１）
図１は、本発明の第１の実施の形態における直流電源装置のブロック図である。図１において、交流電源１がブリッジ整流回路９で整流されたのち、平滑コンデンサ１０で直流に平滑され、負荷１１に直流電圧を供給する構成は、従来と同様である。そして、リアクトル２は交流電源１とブリッジ整流回路９の交流入力端子との間に接続され、双方向性スイッチ３はブリッジ整流回路９の交流入力端子間に接続される。
【００３５】
また、第１の補助スイッチ４と第２の補助スイッチ５は２個直列として、ブリッジ整流回路のリアクトル２が接続された交流入力端子と正極の直流出力端子との間に接続される。そして、第３の補助スイッチ６と、第４の補助スイッチ７は２個直列として、ブリッジ整流回路のリアクトル２が接続された交流入力端子と負極の直流出力端子との間に接続される。コンデンサ８は一方を第１と第２の補助スイッチ４、５の接続点に接続され、他方を第３と第４の補助スイッチ６、７の接続点に接続される。
【００３６】
以下、図２から図５までの図面を用いながら、その動作、作用を、双方向性スイッチが商用周期の半周期に複数回オンオフするものとして説明する。ただし、双方向性スイッチをオンオフして高調波電流抑制と入力力率の改善を図るといった基本的動作については従
来と同様であり、従来の直流電源装置の動作と同様の動作については詳細な説明を省く。
【００３７】
図２は、直流電源装置の動作を説明するための初期状態を示したものであり、コンデンサ８の充電初期値はゼロボルトとする。そして、この時点では回路内には電流は流れておらず、双方向性スイッチ３と第１から第４の補助スイッチ４から７は全てオフしており、平滑コンデンサはＶｄｃに充電されているものとする。
【００３８】
図３は、交流電圧１の正の半周期における双方向性スイッチ３のスイッチング動作を説明するため、双方向性スイッチ３と第１から第４の補助スイッチ４から７のオンオフの状態と、回路に流れる電流の流れ、および、コンデンサの電圧変化を示したものである。図３において、矢印は電流の流れを示し、そのうち、破線の矢印はコンデンサ８の充放電電流を示している。
【００３９】
次に、詳細な動作説明を行う。双方向性スイッチ３のスイッチング動作としては、まず、双方向性スイッチ３をオンして交流電源１をリアクトル２で短絡し、リアクトル２の電流を増加させる。このときの状態を図３（ａ）に示す。初期状態では回路内に電流が流れていないため双方向性スイッチ３は、ゼロ電流スイッチングを行うことになる。
【００４０】
そして、所定の時間後、第２と補助スイッチ５と第４の補助スイッチ７とをオンしてから双方向性スイッチ３をオフする。そうすると、それまで双方向性スイッチ３を流れていた電流は、その全てが第２の補助スイッチ５からコンデンサ８、第４の補助スイッチ７、および、ダイオード９ｄを通して流れることになる。このときの状態を図３（ｂ）に示す。当然、それまでコンデンサ８には充電がされていないため、双方向性スイッチ３は、ゼロ電圧スイッチングを行うことになる。
【００４１】
しばらくして、コンデンサ８の電圧は、平滑コンデンサの電圧Ｖｄｃと等しくなったとき（厳密には、Ｖｄｃにダイオード９ａのオン電圧を加えた電圧となったとき）に、ダイオード９ａにリアクトル２の電流が転流し、平滑コンデンサ１０に電流が流れ込むこととなり、第２の補助スイッチ５と第４の補助スイッチ７とコンデンサ８に電流は流れなくなる。その後、第２の補助スイッチ５と第４の補助スイッチ７をオフする。このときの状態を図３（ｃ）に示す。この際の第２の補助スイッチ５と第４の補助スイッチ７のオフ動作は、ゼロ電流スイッチングとなる。
【００４２】
次に、リアクトル２に電流が流れている間に、第１の補助スイッチ４と第３の補助スイッチ６をオンする。すると、コンデンサ８に蓄えられていた電荷は、第１の補助スイッチ４と第３の補助スイッチ６を介して平滑コンデンサ１０側に放電され、ほぼゼロボルトになる。これは、リアクトル２に電流が流れている間は、リアクトル２のブリッジ整流回路９側の電位がＶｄｃまで上昇しているためである。
【００４３】
このとき、交流電源１から、リアクトル２を介して平滑コンデンサ１０に流れ込む電流と重畳して電流が流れることになる。このときの状態を図３（ｄ）に示す。
【００４４】
その後、第１の補助スイッチ４と第３の補助スイッチ６をオフする。この場合も、当然ゼロ電流スイッチングが行われる。そして、リアクトル電流がゼロとなれば初期状態に戻ることになり、双方向性スイッチ３のオン時間を等しくして、図３で示した動作を繰り返せば、リアクトル２の電流波形は、入力電圧に比例した電流ピークを持った波形となる。
【００４５】
また、以上の説明は正の半周期での動作説明であるが、負の半周期においては第２の補助スイッチ５と第４の補助スイッチ７のオンオフ順序と、第１の補助スイッチ４と第３の補助スイッチ６のオンオフ順序を入れ替えることで、同様の動作となる。
【００４６】
このように、リアクトル２の電流が一連の動作でゼロまで必ず放電する、いわゆる電流不連続モードで動作するように構成した場合の入力電圧とリアクトル２の電流波形の波形図を図４に示す。
【００４７】
また、リアクトル電流がゼロとなる前に、再度、図３で示した一連の動作をさせると、双方向性スイッチ３がオンするときにゼロ電流スイッチングを実現することはできないが、リアクトル２に流れるリップル電流を小さくすることが可能となる、いわゆる電流連続モードでの動作となる。
【００４８】
そして、このとき、リアクタ２のインダクタンスを十数ｍＨ以上の値として適切に選定することにより、商用周期の半周期に数回のスイッチングでも十分入力力率の改善や高調波電流低減は可能となる。
【００４９】
図５に、商用周期の半周期に２回、双方向性スイッチ３を動作させたときの入力電圧電流波形と双方向性スイッチ３の駆動信号、第２の補助スイッチ５と第４の補助スイッチ７の駆動信号を波形図に示す。この波形図では、リアクトル２に流れる電流がゼロとなる前に、双方向性スイッチ３の２回目のスイッチングが行われた例を示している。
【００５０】
図５では、スイッチング回数が２回のみであり、リアクトルのインダクタンスも５ｍＨとしているため、正弦波電流とはかなり異なった電流波形となっているが、入力力率は改善されており、スイッチング回数を増やせば歪率が５％以下の入力電流とすることも可能であり、その場合の入力力率はほぼ１とすることができる。
【００５１】
また、図５については、全体としてみた場合、電流波形などは双方向性スイッチ３の動作に依存しており、波形的には第１の補助スイッチ４から第４の補助スイッチ７が動作してもしなくともほとんど変わらない。
【００５２】
しかし、上記の場合などは、実際にはリアクトル２の電流が双方向性スイッチ３からブリッジ整流回路９に転流するまでの時間は、第２の補助スイッチ５と第４の補助スイッチ７がオンする寸前のリアクトル２の電流が２０Ａ、コンデンサ８の容量を２ｕＦ、Ｖｄｃを２８０Ｖとすれば、３０ｕｓ近くまで大きくすることができ、単に双方向性スイッチ３のオフのみを利用した場合の転流時間数百ｎｓに比べて十分大きくなり、電流、電圧の変動速度を小さくできるために大幅な騒音低減が実現できる。
【００５３】
また、以上の説明では、第１の補助スイッチ４から第４の補助スイッチ７の中点がブリッジ整流回路９とリアクトル２の接続点に接続されているが、ブリッジ整流回路９の交流入力端子のどちらに中点を接続しても、同じ効果を得ることができる。
【００５４】
また、双方向性スイッチや第１から第４の補助スイッチの構成は、通常、図６に示すようにスイッチ用ブリッジ整流回路１３とスイッチング素子１４の組み合わせを用いることが多い。しかし、本実施の形態においては、双方向性スイッチ３については問題ないが、第１の補助スイッチ４から第４の補助スイッチ７については、図６の構成のままでは駆動に工夫が必要となる。
【００５５】
つまり、コンデンサ８の充電時には、リアクトル２のインピーダンスが介在するため、第１の補助スイッチ４から第４の補助スイッチ７のオン時のｄｉ／ｄｔや電流ピーク値は制限されるが、コンデンサ８の放電時のｄｉ／ｄｔや電流ピーク値を抑えるための要素がなく、ノイズ発生を抑えるためにスイッチング素子１４のスイッチング速度を落とす、不飽和動作させるなどの工夫が必要となる。そのため、スイッチング損失が大きくなるうえ
、装置容量が大きくなると、これらの対策にも限界がでてくる。
【００５６】
そこで、少なくとも第１と第３の補助スイッチのいずれか一方と、第２と第４の補助スイッチのいずれか一方の構成を、図７のようにスイッチ用ブリッジ整流回路１３と、コンデンサ８の充電時にオンする充電用スイッチング素子１５と、放電時にオンする放電用スイッチング素子１６および放電時の電流制限用インピーダンス１７とから構成するようにしてもよい。
【００５７】
これよって、コンデンサ８の放電時のｄｉ／ｄｔや電流ピーク値を任意に制限することが可能となり、ノイズ低減ができる。また、電流制限用インピーダンスとして可飽和リアクトルを用いてノイズと損失の両方を低減したり、あるいは飽和しない補助リアクトルを用いてコンデンサ８との共振を利用してノイズと損失を大幅に低減したりするように構成してもよい。
【００５８】
また、電流制限用インピーダンスとしてリアクトル類を用いる場合は、ゼロ電流でスイッチング出来なかった場合の保護用にリアクトル類に並列にダイオードを設けることが望ましい。
【００５９】
なお、上記のように２組の補助スイッチのうち１つだけでもよいとしたのは、図６で示される構成とした補助スイッチを先にオンすることで上記の効果を得ることができるためである。
【００６０】
（実施の形態２）
図８は、本発明の第２の実施の形態における直流電源装置のブロック図である。本実施の形態においては、実施の形態１で説明した双方向性スイッチ３と第１から第４の補助スイッチ４から７の動作や、騒音低減とスイッチングノイズやスイッチング損失の低減を図るとともに高調波電流も低減し、入力力率を改善するといった基本的な動作や効果については同様である。
【００６１】
ただし、図８においては、実施の形態１で説明した直流電源装置に対して、交流電源１の電圧を検出する入力電圧検出手段１８と、直流電圧検出手段１９が追加されている。
【００６２】
そして、本実施の形態においては、スイッチ駆動制御手段１２は入力電圧検出手段１８によって電圧ゼロクロスを検出する、もしくは、電圧極性を検出することで、第１の補助スイッチ４から第４の補助スイッチ７のオンオフ順序を決定するとともに、直流電圧検出手段１９で検出した直流電圧が所望の目標直流電圧よりも低い場合には双方向性スイッチ３のオン時間を長くし、逆の場合には双方向性スイッチ３のオン時間を短く制御することによって、直流電圧の安定化を図るものである。
【００６３】
したがって、本実施の形態における直流電源装置では、実施の形態１で説明した各種の効果に加えて、ゼロクロス付近の電流歪を低減し、負荷に安定した直流電圧を供給することが可能という利点がある。
【００６４】
なお、本実施の形態では、入力電圧検出手段１８によって電圧ゼロクロスあるいは電圧極性を判定したが、入力電流検出手段を設けて入力電流の極性によって第１の補助スイッチ４から第４の補助スイッチ７のオンオフ順序を決定してもよい。
【００６５】
また、本実施の形態における直流電源装置では、直流出力電圧の安定化のために直流電圧検出手段１９を用いたが、図９に示すように出力電流検出手段２０を設ける、あるいは、直流出力電力を検出することによって負荷量を判定し、双方向性スイッチ３のオン時間
を制御することで、直流電圧の安定化を図るようにしてもよい。
【００６６】
また、本実施の形態では、双方向性スイッチ３のオン時間を制御しているが、オン時間に変えてスイッチング周波数を制御しても良く、あるいはオン時間とスイッチング周波数の両方を制御しても良い。さらに、これらの制御に変えて双方向性スイッチ３をオンオフするための駆動パルスの密度を変化させることによって、直流出力電圧とリアクトル２に流れる電流とを制御してもよい。
【００６７】
（実施の形態３）
図１０は、本発明の第３の実施の形態における直流電源装置のブロック図である。本実施の形態においては、実施の形態１で説明した双方向性スイッチ３と第１の補助スイッチ４から第４の補助スイッチ７の動作や、騒音低減とスイッチングノイズやスイッチング損失の低減を図るとともに高調波電流も低減し、入力力率を改善するといった基本的な動作や効果については同様である。
【００６８】
ただし、図１０においては、実施の形態１で説明した直流電源装置に対して、交流電源１の電圧を検出する入力電圧検出手段１８と、直流電圧検出手段１９および入力電流検出手段２１が追加されている。
【００６９】
そして、本実施の形態においては、スイッチ駆動制御手段１２は入力電圧検出手段１８によって、電圧ゼロクロスを検出する、もしくは、電圧極性を検出することで第１の補助スイッチ４から第４の補助スイッチ７のオンオフ順序を決定するとともに、直流電圧検出手段１９で検出した直流電圧が所望の目標直流電圧よりも低い場合には、双方向性スイッチ３のオン時間を長くし、逆の場合には、双方向性スイッチ３のオン時間を短く制御することによって直流電圧の安定化を図ることについては、実施の形態２と同様である。
【００７０】
本実施の形態において特徴的な点は、直流電圧を一定に保ちつつ入力電流を目標とする目標電流波形に一致するよう制御する点である。これは、従来からも用いられている入力電流の制御手法であり、詳細な説明は省くが、直流出力電圧の目標値と検出値の誤差を基準波形に乗算することにより目標電流波形を得て、入力電流をその目標電流波形に追従させるよう制御するものである。
【００７１】
なお、本実施の形態においては、入力電流を検出して制御するよう構成されているが、図１１のように入力電流に変えて、電解コンデンサに流れる電流を直流電流検出手段２２によって検出し、この波形が目標値に一致するよう制御しても良い。
【００７２】
このように本実施の形態における直流電源装置では、実施の形態１や実施の形態２で示した効果だけでなく、入力電流をより精度よく制御することが可能となり、更なる入力力率の改善や高調波電流の低減性能の向上ができ、入力電流を任意の波形とすることができることによりピーク電流の抑制によるリアクトル２の小型化などが可能となる。
【産業上の利用可能性】
【００７３】
以上のように、本発明にかかる直流電源装置は、高調波電流を低減するとともに力率を改善することが可能な直流電源装置において、騒音の低減とスイッチングノイズ、スイッチング損失の低減が可能となるので、汎用インバータの入力段回路やエアコンまたは冷蔵庫などのコンプレッサを用いた家電機器の入力段回路の用途に適用できる。
【図面の簡単な説明】
【００７４】
【図１】本発明の実施の形態１における直流電源装置のブロック図
【図２】本発明の実施の形態１における初期状態説明図
【図３】本発明の実施の形態１における動作説明図
【図４】本発明の実施の形態１における電流不連続モードでの電圧電流波形図
【図５】本発明の実施の形態１における電流連続モード２回スイッチングでの波形図
【図６】従来からのスイッチ構成図
【図７】コンデンサの充電時と放電時とでインピーダンスが変わるスイッチ構成図
【図８】本発明の実施の形態２における直流電源装置のブロック図
【図９】本発明の実施の形態２における出力電流検出手段を用いた場合のブロック図
【図１０】本発明の実施の形態３における直流電源装置のブロック図
【図１１】本発明の実施の形態３における直流電流検出手段を用いた場合のブロック図
【図１２】従来の直流電源装置のブロック図
【図１３】従来の直流電源装置のタイミング図
【図１４】交流側にスイッチを設けたタイプの従来の直流電源装置のブロック図
【符号の説明】
【００７５】
１  交流電源
２  リアクトル
３  双方向性スイッチ
４  第１の補助スイッチ
５  第２の補助スイッチ
６  第３の補助スイッチ
７  第４の補助スイッチ
８  コンデンサ
９  ブリッジ整流回路
１０  平滑コンデンサ
１１  負荷
１２  スイッチ駆動制御手段
１３  スイッチ用ブリッジ整流回路
１４  スイッチング素子
１５  充電用スイッチング素子
１６  放電用スイッチング素子
１７  電流制限用インピーダンス
１８  入力電圧検出手段
１９  直流電圧検出手段
２０  出力電流検出手段
２１  入力電流検出手段
２２  直流電流検出手段
【図１】
2008141901.tif 000003
【図２】
2008141901.tif 000004
【図３】
2008141901.tif 000005
【図４】
2008141901.tif 000006
【図５】
2008141901.tif 000007
【図６】
2008141901.tif 000008
【図７】
2008141901.tif 000009
【図８】
2008141901.tif 000010
【図９】
2008141901.tif 000011
【図１０】
2008141901.tif 000012
【図１１】
2008141901.tif 000013
【図１２】
2008141901.tif 000014
【図１３】
2008141901.tif 000015
【図１４】
2008141901.tif 000016